Podtech/llm-jp-corpus-v4-ja_patent huggingface dataset:
【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
焼却炉から排出される焼却飛灰を含む排ガスを所定温度に冷却するガス冷却装置；前記ガス冷却装置からの排出ガスを処理してその中に含まれる焼却飛灰を分離するための集塵装置；前記焼却炉からガス冷却装置への排出ガス及び／又はガス冷却装置からの排出ガスに汚染媒体処理剤を供給するための汚染媒体処理剤供給装置；前記集塵装置から排出される焼却飛灰に水及び／又は重金属溶出防止剤を加えて混練りするための混練り装置；を具備することを特徴とする燃焼排ガスの処理装置。
【請求項２】
集塵装置から排出される焼却飛灰を、混練り装置に導入する前に、３００℃以下の温度で保持するための装置を更に具備する請求項１に記載の燃焼排出ガス処理装置。
【請求項３】
汚染媒体処理剤が、次式：
【化１】
2002113330.tif 000001
（式中、Ｒ1は、それぞれ独立して、水素、メチル基を表し；Ｒ2は、それぞれ独立して、Ｒ1が水素の場合には、水素、フェニル基を表し、Ｒ1がメチル基の場合には、水素、メチル基を表す）
で示される化合物を含むものである請求項１又は２に記載の燃焼排ガス処理装置。
【請求項４】
汚染媒体処理剤が、シリカ、アルミナ、ゼオライト、珪藻土又は活性炭から選択される担体に担持されている請求項３に記載の燃焼排ガス処理装置。
【手続補正２】
【補正対象書類名】明細書
【補正対象項目名】０００１
【補正方法】変更
【補正の内容】
【０００１】
【発明の属する技術分野】
本発明は、燃焼排ガスの処理装置に関する。詳しくは、本発明は、ごみ焼却炉等の各種焼却炉から排出される飛灰及び焼却灰（以下、これらを併せて「焼却飛灰」と称する）中に含まれるポリ−塩化−ｐ−ジベンゾダイオキシン類（ＰＣＤＤ）やポリ塩化ジベンゾフラン類（ＰＣＤＦ）、コプラナ−ＰＣＢ（ｃｏ−ＰＣＢ）などの有機塩素化合物（以下、これらを併せて「ダイオキシン類」と称する）を効率的に分解処理したり、鉛、カドミウム、クロム、水銀等の有害な重金属類を高濃度に含有する飛灰等からの重金属の溶出を防止することができる。


【手続補正３】
【補正対象書類名】明細書
【補正対象項目名】００１８
【補正方法】変更
【補正の内容】
【００１８】
即ち、本発明は、焼却炉から排出される焼却飛灰を含む排ガスを所定温度に冷却するガス冷却装置；前記ガス冷却装置からの排出ガスを処理してその中に含まれる焼却飛灰を分離するための集塵装置；前記焼却炉からガス冷却装置への排出ガス及び／又はガス冷却装置からの排出ガスに汚染媒体処理剤を供給するための汚染媒体処理剤供給装置；前記集塵装置から排出される焼却飛灰に水及び／又は重金属溶出防止剤を加えて混練りするための混練り装置；を具備することを特徴とする燃焼排ガスの処理装置に関する。
【手続補正書】
【提出日】平成15年6月27日(2003.6.27)
【手続補正１】
【補正対象書類名】明細書
【補正対象項目名】００１５
【補正方法】変更
【補正の内容】
【００１５】
本発明の液体吐出方法は、ポンプ本体内に組み込まれてポンプ室を形成する弾性変形自在のポンプ部材の吸入動作と吐出動作とにより液体貯留槽内の液体を吐出ノズルに吐出する液体吐出方法であって、前記液体貯留槽と前記ポンプ室とを接続する流入流路に設けられた流入側弁を開いた状態として前記ポンプ部材を吸入ストローク動作する吸入工程と、圧力調整用開口部と前記ポンプ室とを接続する圧力調整流路に設けられた圧力調整弁を開いて前記ポンプ室を一定の圧力に保持した状態で前記ポンプ部材を所定の廃棄ストローク吐出動作する廃棄工程と、前記吐出ノズルと前記ポンプ室とを接続する吐出流路に設けられた吐出側弁を開いて前記ポンプ部材を吐出ストローク動作する吐出工程とを有することを特徴とする。


【手続補正２】
【補正対象書類名】明細書
【補正対象項目名】００１６
【補正方法】変更
【補正の内容】
【００１６】
本発明の液体吐出方法は、ポンプ本体内に組み込まれてポンプ室を形成する弾性変形自在のポンプ部材の吸入動作と吐出動作とにより液体貯留槽内の液体を吐出ノズルに吐出する液体吐出方法であって、前記液体貯留槽と前記ポンプ室とを接続する流入流路に設けられた流入側弁を開いた状態として前記ポンプ部材を吸入ストローク動作する吸入工程と、圧力調整用開口部と前記ポンプ室とを接続する圧力調整流路に設けられた圧力調整弁を開いて前記ポンプ室内の圧力を吸入ストローク動作終了時よりも低い圧力に設定する廃棄工程と、前記吐出ノズルと前記ポンプ室とを接続する吐出流路に設けられた吐出側弁を開いて前記ポンプ部材を吐出ストローク動作する吐出工程とを有することを特徴とする。


【手続補正３】
【補正対象書類名】図面
【補正対象項目名】図７
【補正方法】変更
【補正の内容】
【図７】
2002113406.tif 000001
【手続補正書】
【提出日】平成15年12月8日(2003.12.8)
【手続補正１】
【補正対象書類名】明細書
【補正対象項目名】０００９
【補正方法】変更
【補正の内容】
【０００９】
以下に本発明による穀粉加工製品の組織の特徴を図１〜図４の電子顕微鏡により撮影した写真によって更に詳しく説明する。この組織構造は、一次加熱後、冷凍した穀粉加工製品の生地を解凍し常温にしてから手により引きちぎり、カット面を観察面とする試料を作成した。生の状態を観察する為、蒸着処理を行わず、走査型電子顕微鏡を用いて反射電子像で観察した。試料ステージは−１０℃のクールステージを使用し、加速電圧１５kV、真空度３０Paの条件で観察を行った。尚、観察した倍率は３００倍である。


【手続補正２】
【補正対象書類名】明細書
【補正対象項目名】００１１
【補正方法】変更
【補正の内容】
【００１１】
図１は、本発明の減圧環境下でミキシングを行ってから更に減圧環境下でエージングを行って得られた穀粉加工製品を３００倍で観察した際の断面組織写真である。長径２０〜５０μｍの澱粉粒子が多数見られ、かつその澱粉粒子の周囲に厚み０．５〜２．５μｍの隙間を有していることが観察される。このことから冷凍保存後も澱粉粒子が水を離さず保持している結果と考えられる。また、写真全体が鮮明であり、澱粉粒子間の高低差が少なく、フラットに近い構造をしていることが分かる。


【手続補正３】
【補正対象書類名】明細書
【補正対象項目名】００２２
【補正方法】変更
【補正の内容】
【００２２】
この皮を持って具材を包み、各２０ｇの生餃子を得た。この生餃子を１００℃飽和水蒸気圧下で６分間蒸した後、そのまま急速冷凍するか、もしくは２００℃で４分間焼き調理してから、これを急速冷凍し、−１８℃で１週間冷凍保存した。こうして得られた冷凍餃子を取り出し、自然解凍後、耳部組織を採取して手でちぎり、カット面を観察面とした試料とした。この試料を走査型電子顕微鏡(日立製、Ｓ−２７００)を用いて加速電圧１５ｋＶ、真空度３０Ｐａ、試料ステージ温度−１０℃で組織の澱粉粒子の状態と組織の粗密度合いを観察したものが図１である。
【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
長手方向に磁気ストライプが設けられたカードが挿入され、前記磁気ストライプに磁気情報を記録再生すると共に、前記カードに画像情報を記録するカード記録装置であり、
前記カードの短手方向を搬送方向とし、前記磁気ストライプに磁気情報を記録再生する際に、前記カードの搬送を一時的に停止する搬送手段と、
前記カードの長手方向に移動可能で、前記カードの搬送が一時的に停止した際に磁気情報を記録再生する情報記録再生手段と、
前記カードの短手方向に沿って画像情報を順次記録する画像情報記録手段とを備えたことを特徴とするカード記録装置。
【請求項２】
ＩＣが埋め込まれたカードが挿入され、前記ＩＣに情報を記録再生すると共に、前記カードに画像情報を記録するカード記録装置であり、
前記カードの短手方向を搬送方向とし、前記ＩＣに情報を記録再生する際に、前記カードの搬送を一時的に停止する搬送手段と、
前記カードの搬送が一時的に停止した際に前記ＩＣに情報を記録再生する情報記録再生手段と、
前記カードの短手方向に沿って画像情報を順次記録する画像情報記録手段とを備えたことを特徴とするカード記録装置。
【請求項３】
請求項１又は２に記載のカード記録装置であり、
前記画像情報記録手段は、帯状ベースフィルムに溶融性のインクあるいは昇華性のインクが塗布され、第１の供給リールと第１の巻き取りリールとの間に張架されたインクフィルムと、第２の供給リールと第２の巻き取りリールとの間に張架され、基材シートに剥離可能に設けた透明受像層で構成された中間記録媒体と、前記インクフィルムのインクを前記中間記録媒体に転写させる第１の加熱部と、記録媒体に前記中間記録媒体のインクを転写させる第２の加熱部とを備え、前記インクフィルムと前記中間記録媒体とを密着させた状態で前記インクフィルム及び前記中間記録媒体を搬送し、前記第１の加熱部によって前記インクフィルムのインクを加熱して前記中間記録媒体のインク像を形成し、インク像形成後の前記中間記録媒体を前記第２の加熱部に搬送し、前記中間記録媒体に形成されたインク像を前記記録媒体に転写することにより前記カードの画像情報を順次記録し、
更に、第１の供給リールと前記第１の巻き取りリールと前記インクフィルムとを少なくとも収容した第１のカセットと、前記第２の供給リールと前記第２の巻き取りリールと前記中間記録媒体とを少なくとも収容した第２のカセットとを着脱可能に設けた開口部を有し、
前記開口部は、前記各リールの外周曲線に沿った曲線状開口部と前記インクフィルム及び前記中間記録媒体の張架経路に沿った直線状開口部とにより構成されることを特徴とするカード記録装置。
【請求項４】
請求項３記載のカード記録装置であり、
前記第２の加熱部は、更にヒートローラを備え、前記ヒートローラは前記インク像を前記記録媒体へ転写していない期間には、前記開口部から離れた位置に移動していることを特徴とするカード記録装置。
【請求項５】
帯状ベースフィルムに溶融性のインクあるいは昇華性のインクが塗布され、第１の供給リールと第１の巻き取りリールとの間に張架されたインクフィルムと、第２の供給リールと第２の巻き取りリールとの間に張架され、基材シートに剥離可能に設けた透明受像層で構成された中間記録媒体と、前記インクフィルムのインクを前記中間記録媒体に転写させる第１の加熱部と、記録媒体に前記中間記録媒体のインクを転写させる第２の加熱部とを備え、前記インクフィルムと前記中間記録媒体とを密着させた状態で前記インクフィルム及び前記中間記録媒体を搬送し、前記第１の加熱部によって前記インクフィルムのインクを加熱して前記中間記録媒体上の透明受像層にインク像を形成し、インク像形成後の前記中間記録媒体を前記第２の加熱部に搬送し、前記中間記録媒体の透明受像層に形成されたインク像を前記記録媒体に転写するカード記録装置であり、
前記インク像を前記記録媒体へ転写した後に、前記インク像の形成されていない透明受像層を前記記録媒体に転写することを特徴とするカード記録装置。
【手続補正２】
【補正対象書類名】明細書
【補正対象項目名】００１０
【補正方法】変更
【補正の内容】
【００１０】
【課題を解決するための手段】
以上の課題を解決するために、本発明に係るカード記録装置は、長手方向に磁気ストライプが設けられたカードが挿入され、前記磁気ストライプに磁気情報を記録再生すると共に、前記カードに画像情報を記録するカード記録装置であり、
前記カードの短手方向を搬送方向とし、前記磁気ストライプに磁気情報を記録再生する際に、前記カードの搬送を一時的に停止する搬送手段と、
前記カードの長手方向に移動可能で、前記カードの搬送が一時的に停止した際に磁気情報を記録再生する情報記録再生手段と、
前記カードの短手方向に沿って画像情報を順次記録する画像情報記録手段とを備えたことを特徴とするものである。


【手続補正３】
【補正対象書類名】明細書
【補正対象項目名】００１１
【補正方法】変更
【補正の内容】
【００１１】
また、本発明に係るカード記録装置は、ＩＣが埋め込まれたカードが挿入され、前記ＩＣに情報を記録再生すると共に、前記カードに画像情報を記録するカード記録装置であり、
前記カードの短手方向を搬送方向とし、前記ＩＣに情報を記録再生する際に、前記カードの搬送を一時的に停止する搬送手段と、
前記カードの搬送が一時的に停止した際に前記ＩＣに情報を記録再生する情報記録再生手段と、
前記カードの短手方向に沿って画像情報を順次記録する画像情報記録手段とを備えたことを特徴とするものである。
【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
１つのグループに属する複数のデータキャリアの識別情報を、該グループと関連付けて記憶する記憶手段と、
前記複数のデータキャリアのうちの１つのデータキャリアの識別情報に基づいて、他のデータキャリアの位置を探索し、探索結果を出力する探索手段と
を備えることを特徴とする探索システム。
【請求項２】
前記記憶手段は、前記グループの識別情報を有する前記複数のデータキャリアを含むことを特徴とする請求項１記載の探索システム。
【請求項３】
前記記憶手段は、前記複数のデータキャリアの識別情報を互いに関連付けて格納するデータベース手段を含むことを特徴とする請求項１記載の探索システム。
【請求項４】
前記探索手段は、前記複数のデータキャリアのうち交信可能な位置にあるデータキャリアに、探索対象のデータキャリアの識別情報の少なくとも一部のデータを送信する１つ以上の基地局手段を含み、該基地局手段から該データを受信したデータキャリアは、受信したデータが、該受信したデータキャリアの保持する識別情報の少なくとも一部と一致するとき、該保持する識別情報を該基地局手段に返信することを特徴とする請求項１記載の探索システム。
【請求項５】
探索者が所持するデータキャリアの識別情報と、被探索者が所持するデータキャリアの識別情報とを関連付けて記憶する記憶手段と、
前記探索者のデータキャリアの識別情報に基づいて、前記被探索者のデータキャリアの位置を探索し、探索結果を出力する探索手段と
を備えることを特徴とする探索システム。
【請求項６】
探索者のデータキャリアの識別情報を入力し、入力された識別情報から該探索者の属するグループの識別情報を生成する入力手段と、
前記グループの識別情報を探索範囲に放送し、該グループに属する被探索者のデータキャリアから識別情報を受信する１つ以上の基地局手段と、
被探索者のデータキャリアから識別情報を受信した基地局手段の位置情報を出力する出力手段と
を備えることを特徴とする探索システム。
【請求項７】
１つのグループに属する複数のデータキャリアの識別情報を、互いに関連付けて記憶する記憶手段と、
前記グループに属する探索者のデータキャリアの識別情報を入力し、入力された識別情報に基づいて、該グループに属する被探索者のデータキャリアの識別情報を前記記憶手段から取得する入力手段と、
前記記憶手段から取得した識別情報を探索範囲に放送し、前記被探索者のデータキャリアから識別情報を受信する１つ以上の基地局手段と、
被探索者のデータキャリアから識別情報を受信した基地局手段の位置情報を出力する出力手段と
を備えることを特徴とする探索システム。
【請求項８】
コンピュータのためのプログラムを記録した記録媒体であって、
１つのグループに属する複数のデータキャリアの識別情報を、該グループと関連付けて記憶する機能と、
前記複数のデータキャリアのうちの１つのデータキャリアの識別情報に基づいて、他のデータキャリアの位置を探索する機能と、
探索結果を出力する機能と
を前記コンピュータに実現させるためのプログラムを記録したコンピュータ読み取り可能な記録媒体。
【手続補正書】
【提出日】平成15年9月25日(2003.9.25)
【手続補正１】
【補正対象書類名】明細書
【補正対象項目名】請求項１０
【補正方法】変更
【補正の内容】
【請求項１０】
前記環境情報は、使用言語に関する情報を含んでいることを特徴とする請求項９記載の情報処理方法。
【手続補正２】
【補正対象書類名】明細書
【補正対象項目名】請求項１４
【補正方法】変更
【補正の内容】
【請求項１４】
前記情報処理方法及び／又は前記外部デバイスが表示ステップを有し、前記変換ステップの処理過程に所定メッセージの前記表示ステップへの表示を含み、前記環境情報によって前記メッセージの言語を変化させることを特徴とする請求項９記載の情報処理方法。
【手続補正３】
【補正対象書類名】明細書
【補正対象項目名】請求項１５
【補正方法】変更
【補正の内容】
【請求項１５】
前記外部デバイスが印刷機器であり、前記変換ステップが、前記環境情報によって前記印刷処理で用いる文字の設定を変更することを特徴とする請求項９記載の情報処理方法。
【手続補正４】
【補正対象書類名】明細書
【補正対象項目名】請求項２０
【補正方法】変更
【補正の内容】
【請求項２０】
前記メッセージは、前記印刷データ生成ステップであるプリンタドライバに対して出力するエラー表示であることを特徴とする請求項１９記載の情報処理方法。
【手続補正書】
【提出日】平成15年6月25日(2003.6.25)
【手続補正１】
【補正対象書類名】明細書
【補正対象項目名】発明の名称
【補正方法】変更
【補正の内容】
【発明の名称】Ｗｅｂページの提供方法および提供システム
【手続補正２】
【補正対象書類名】明細書
【補正対象項目名】特許請求の範囲
【補正方法】変更
【補正の内容】
【特許請求の範囲】
【請求項１】
要求に応じて予め登録されているＷｅｂページを通信回線を介して提供するためのシステムに使用するＷｅｂページの提供方法であって、
前記システムを構成する表示装置の画面に、ＷｅｂページのＵＲＬの入力領域、Ｗｅｂページのコンテンツの真正性を示す情報及び有効期限の入力領域を表示し、
入力されたＵＲＬの入力領域、コンテンツの真正性を示す情報及び有効期限の情報を記憶装置に格納し、
要求されたＷｅｂページのコンテンツの真正性及び有効期限を格納された前記情報により照合し、該照合結果に基づき前記コンテンツの真正性の正否及び有効期限の正否の情報を付して提供することを特徴とするＷｅｂページの提供方法。
【請求項２】
請求項１記載のＷｅｂページの提供方法であって、前記表示装置の画面に、前記Ｗｅｂページのコンテンツの真正性を示すマーク付加情報及びマークイメージデータの入力領域を表示し、
入力されたマーク付加情報及びマークイメージデータを記憶装置に格納し、
Ｗｅｂページに前記マーク付加情報及びマークイメージデータに基づくマークを付して提供することを特徴とするＷｅｂページの提供方法。
【請求項３】
請求項１または２に記載のＷｅｂページの提供方法であって、利用者からの要求を受け付けてＷｅｂページのコンテンツの真正性及び有効期限の正否の照会を行うとき、表示装置の画面に、照会中であることを表示することを特徴とするＷｅｂページの提供方法。
【請求項４】
請求項１または２に記載のＷｅｂページの提供方法であって、表示装置の画面に、あらかじめ設定された内容で前記コンテンツの真正性及び有効期限の正否の照会結果を表示することを特徴とするＷｅｂページの提供方法。
【請求項５】
要求に応じて予め登録されているＷｅｂページを通信回線を介して提供するためのシステムに使用するＷｅｂページの真正性確認方法であって、
前記システムを構成する表示装置の画面に、ＷｅｂページのＵＲＬの入力領域、Ｗｅｂページのコンテンツの真正性を示す情報及び有効期限の入力領域を表示し、
入力されたＵＲＬの入力領域、コンテンツの真正性を示す情報及び有効期限の情報を記憶装置に格納し、
要求されたＷｅｂページのコンテンツの真正性及び有効期限を、Ｗｅｂページに埋め込まれたコンテンツの真正性を示す情報と格納された前記情報とから照合し、該照合結果に基づき前記コンテンツの真正性の正否及び有効期限の正否の情報を確認することを特徴とするＷｅｂページの真正性確認方法。
【請求項６】
ブラウザと表示装置とを備え、要求に応じて予め登録されているＷｅｂページを通信回線を介して提供するＷｅｂページの提供システムであって、
前記表示装置の画面に、ＷｅｂページのＵＲＬの入力領域、Ｗｅｂページのコンテンツの真正性を示す情報及び有効期限の入力領域を表示する手段と、
入力されたＵＲＬの入力領域、コンテンツの真正性を示す情報及び有効期限の情報を記憶装置に格納する手段と、
要求されたＷｅｂページのコンテンツの真正性及び有効期限を格納された前記情報により照合する手段と、
該照合結果に基づき前記コンテンツの真正性の正否及び有効期限の正否の情報を付して提供する手段、とを具備することを特徴とするＷｅｂページの提供システム。
【手続補正３】
【補正対象書類名】明細書
【補正対象項目名】００８６
【補正方法】変更
【補正の内容】
【００８６】
次に、検証の結果が正しいものと判断された場合には、該Ｗｅｂページを編集可能な状態にし、本プログラムが記憶しているマーク貼付記述雛形を基に、該Ｗｅｂページにマークデータを貼付するための記述を追加する（ステップ７０４）。


【手続補正４】
【補正対象書類名】明細書
【補正対象項目名】００８７
【補正方法】変更
【補正の内容】
【００８７】
次に、該Ｗｅｂページを更新し、該ＷｅｂページとマークデータをＷｅｂページＤＢに登録する（ステップ７０５）。


【手続補正５】
【補正対象書類名】明細書
【補正対象項目名】００９１
【補正方法】変更
【補正の内容】
【００９１】
マーク貼付記述雛形は、マークデータとＷｅｂページを相互に関係づけるためのＨＴＭＬ記述が記憶されているファイルである。図８の８０１に、基本的なマーク貼付記述雛形を示す。これは、ＨＴＭＬ記述における、文書中の指定した位置に画像を配置させる記述である。マーク貼付プログラムはマーク貼付記述雛形に記述されているコード情報を読み取り、ステップ７０１で取得したマークデータを特定するための属性情報（ファイル名など）の記述を追加したマーク貼付記述情報（８０２）を、該Ｗｅｂページを表現するＨＴＭＬ記述の特定の場所（先頭行から何行目と何行目の間などの場所をいう）に追加記述する。なお、初期設定等によりマークデータを貼付する場所を任意の場所に設定することができ、また、マーク貼付記述雛形に通常のＨＴＭＬ記述を加えることで様々な貼付形態が可能である。例えば、マーク貼付記述雛形例１（８０３）のようにマークデータの配置を追加したり、マーク貼付記述雛形例２（８０４）のように、ＨＴＭＬ記述内の最後に「ｏｐｔｉｏｎ＝“Ｍａｒｋ”」などのマークデータ固有のＨＴＭＬ記述を追加することが可能である。


【手続補正６】
【補正対象書類名】明細書
【補正対象項目名】０１３３
【補正方法】変更
【補正の内容】
【０１３３】
クライアント端末１６０１で使用される各構成要素は、図１で示したマークオーサリング装置１００の各構成要素と同じものである。第二の実施形態を実現するために、クライアント端末１６０１にはマーク検出プログラム１１５ｆ、マーク表示プログラム１１５ｇ、マーク操作プログラム１１５ｈ、ＤＢ照会プログラム１１５ｉが必要となる。クライアント端末１６０１に上記プログラムが組み込まれていない場合は、上記プログラムをＦＤなどの記憶媒体に記憶してクライアント端末１６０１にセットアップする。または、ネットワークを介して、上記プログラムを実行することもできる。


【手続補正７】
【補正対象書類名】明細書
【補正対象項目名】０１３８
【補正方法】変更
【補正の内容】
【０１３８】
第三の実施形態では、クライアント端末１６０１からマークオーサリング装置１００にマーク作成要求し、作成されたマークデータを指定のＷｅｂページに貼付することができる。例えば、マークオーサリング装置１００がネットワークを介して公開する図５で示した入力画面を、クライアント端末１６０１で表示する。クライアント端末では、必要な情報を入力し、マークオーサリング装置１００に返信する。マークオーサリング装置１００では、受け取った情報をもとに、情報をチェックして、マークデータを作成して、クライアント端末１６０１のマーク貼付プログラム１１５ｂにマークデータを送り、マーク貼付プログラムはマークデータをＷｅｂページに貼付し、利用者は第二の実施形態と同様にＷｅｂページに含まれるマークデータを参照・操作することでＷｅｂページの真正性を確かめることができる。
【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
めっき液及び被めっき基板を収容するめっき容器と、
該めっき容器の内部において磁気浮上機構により非接触で支持され、回転機構によって回転する回転部材を有することを特徴とするめっき装置。
【請求項２】
前記回転部材は、回転することにより前記基板の表面近傍のめっき液を流動させることを特徴とする請求項１記載のめっき装置。
【請求項３】
前記回転部材は、基板に向けてめっき液を導くめっき液供給部材であることを特徴とする請求項１または２に記載のめっき装置。
【請求項４】
前記めっき液供給部材は、筒状部とその下方に接続されてめっき液を水平方向に導く案内部を有し、前記筒状部において前記磁気浮上機構により支持されていることを特徴とする請求項３に記載のめっき装置。
【請求項５】
請求項１ないし４のいずれかに記載のめっき装置を用いてめっきを行った後、基板に付着した金属の不要部分を化学的・機械的研磨装置により研磨して除去することを特徴とする基板の加工方法。
【手続補正２】
【補正対象書類名】明細書
【補正対象項目名】０００９
【補正方法】変更
【補正の内容】
【０００９】
【課題を解決するための手段】
請求項１に記載の発明は、めっき液及び被めっき基板を収容するめっき容器と、該めっき容器の内部において磁気浮上機構により非接触で支持され、回転機構によって回転する回転部材を有することを特徴とするめっき装置である。
請求項２に記載の発明は、前記回転部材が回転することにより前記基板の表面近傍のめっき液を流動させることを特徴とする請求項１記載のめっき装置である。
【手続補正３】
【補正対象書類名】明細書
【補正対象項目名】００１１
【補正方法】変更
【補正の内容】
【００１１】
請求項３に記載の発明は、前記回転部材が基板に向けてめっき液を導くめっき液供給部材であることを特徴とする請求項１または２に記載のめっき装置である。これにより、１つの部材でめっき液を流動させつつ基板に向けて導くことができる。


【手続補正４】
【補正対象書類名】明細書
【補正対象項目名】００１２
【補正方法】変更
【補正の内容】
【００１２】
請求項４に記載の発明は、前記めっき液供給部材が筒状部とその下方に接続されてめっき液を水平方向に導く案内部を有し、前記筒状部において前記磁気浮上機構により支持されていることを特徴とする請求項３に記載のめっき装置である。めっき液供給部材をこのような構成とすることによって安定な支持しやすい形状とし、また、筒状部を支持することにより磁気軸受装置をコンパクトに構成することができる。


【手続補正５】
【補正対象書類名】明細書
【補正対象項目名】００１６
【補正方法】変更
【補正の内容】
【００１６】
請求項５に記載の発明は、請求項１ないし４のいずれかに記載のめっき装置を用いてめっきを行った後、基板に付着した金属の不要部分を化学的・機械的研磨装置により研磨して除去することを特徴とする基板の加工方法である。
【手続補正書】
【提出日】平成15年7月16日(2003.7.16)
【手続補正１】
【補正対象書類名】明細書
【補正対象項目名】請求項２
【補正方法】変更
【補正の内容】
【請求項２】
アダプタとして、把持装置に下方から挿通し得る形状に形成されたものを用い、掘削作業の準備過程においてアダプタを把持装置に挿通する場合、縦穴掘削装置を、ケーシング設置用の作業空間を開放するように横方向に移動させた後、その移動により生じた上方開放部を利用してアダプタをケーシング設置用の作業空間に搬入して定置し、次いで、アダプタを定置した場所に縦穴掘削装置を移動させてアダプタを吊り上げることにより、アダプタを把持装置に下方から挿通するようにしたことを特徴とする請求項１記載の縦穴掘削法。
【手続補正２】
【補正対象書類名】明細書
【補正対象項目名】００４２
【補正方法】変更
【補正の内容】
【００４２】
アダプタ４を設けた縦穴掘削装置において、スラストシリンダ６のストロークよりも長い単位ケーシング２を使用できるようにするには、単に、アダプタ４をそのストロークのより長い距離下降させて単位ケーシング２を地中に押し込むだけでなく、こうして下降させたアダプタ４を縦穴掘削装置の横方向への移動の障害にならない位置まで再上昇させて、単位ケーシング２の押し込み作業を反復できるようにすることが必要であるが、前述の従来の技術による限り、こうしたことを実施するのは不可能である。本具体化例の縦穴掘削法や縦穴掘削装置では、スラストシリンダ６のストロークよりも長い単位ケーシング２について押し込み作業を反復できるようにするため、アダプタの把持部４ａに余裕部分４ｃを設けるとともに、アダプタの把持手段として、アダプタ掴み用のメインバンド５のほかサブバンド９を設けるようにしており、この点に最大の工夫がある。


【手続補正３】
【補正対象書類名】明細書
【補正対象項目名】００４４
【補正方法】変更
【補正の内容】
【００４４】
また、この縦穴掘削装置は、アダプタ掴み用のメインバンド５のほかサブバンド９を設けたことに加えて、ベースフレーム１０の底部側に特に水平調整装置１３を設置しているので、ケーシング２の押し込み時にケーシング２が傾斜したり曲がったときには、必要に応じてサブバンド９を併用しながら、アダプタ４をケーシング２と共にメインバンド５で元の位置まで一旦引き上げて、水平調整装置１３でケーシング２の垂直度を調整することにより、地中に押し込むケーシング２の垂直精度を縦穴掘削装置の設置時だけでなく掘削作業時にも調整できてケーシング２を常に垂直に保持することができる。その結果、垂直精度の良好な縦穴を掘削できるだけでなく、ケーシング２を垂直に押し込まないことに起因して生じる周面摩擦抵抗の増加を防ぐことができて、ケーシング２を回転駆動する際の回転トルクをいたずらに増加させるようなことがない。そのため、ケーシング２が特に大径の場合に、こうしたことに起因して回転トルクの不足が生じ、ひいては回転不能となるのを未然に防ぐことができてきわめて有益である。また、縦穴掘削装置を設置する架台３の設置面の水平精度に関係なくケーシング２を垂直に保持することができるため、架台３の設置に無駄な時間を要しない。
【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
ネットワークに接続されて少なくとも文字による通信を行うことができる文字通信装置であって、前記ネットワークを介して相手方通信装置とメッセージの交信を行うための送受信手段と、前記相手方通信装置との交信の内容を画面表示器の交信内容表示領域に表示する交信内容表示手段と、前記メッセージの交信のために予め用意された候補用語群を前記画面表示器の候補用語表示領域に表示する候補用語表示手段と、通信者によって前記候補用語群の中から選択された用語を出力する用語選択手段と、出力された複数の用語を前記画面表示器のメッセージ編集領域に一連に表示してメッセージを形成し、形成されたメッセージを前記送受信手段に送るメッセージ形成手段と、とを備える文字通信装置。
【請求項２】
前記相手方通信装置は、文字通信装置を含む複数のゲーム端末装置からのアクセスに応答してゲームを展開する通信型ゲームのプログラムを実行するホストコンピュータシステム、又は該通信型ゲームへの参加者によって操作される通信装置である、請求項１記載の文字通信装置。
【請求項３】
前記候補用語表示手段は、前記相手方通信装置から前記候補用語群を受取る、請求項１又は２記載の文字通信装置。
【請求項４】
前記候補用語群は、前記ゲーム参加者の名前、前記ゲームに関連する名詞、代名詞、動詞、形容詞、活用語尾、記号、ユーザー登録短文のうち少なくともいずれかによって分類される、ことを特徴とする請求項２記載の文字通信装置。
【請求項５】
前記候補用語群が、複数ページのテーブルに配列され、前記複数ページうちの１ページ分が前記候補用語表示領域に表示される、請求項１乃至４のいずれかに記載の文字通信装置。
【請求項６】
複数種類の言語で表現された一つのメッセージを複数含むメッセージ言語変換テーブルを記憶する記憶手段と、一つの種類の言語によって表現された複数のメッセージを表示器のメニュー画面に選択可能に表示するメニュー表示手段と、選択されたメッセージを、前記メッセージ言語変換テーブルを参照して通信相手の言語のメッセージに変換する言語変換手段と、言語変換されたメッセージを前記通信相手に送信する送信手段と、を備える文字通信装置。
【請求項７】
一の種類の言語による複数のメッセージと、各メッセージに付された符号と、を含むデータベースを記憶する記憶手段と、前記複数のメッセージのうちのいくつかを表示器のメニュー画面に選択可能に表示するメニュー表示手段と、選択されたメッセージに対応する符号を前記データベースを参照して出力するメッセージ符号出力手段と、出力されるメッセージの符号を通信相手に送信する送信手段と、を備える文字通信装置。
【請求項８】
前記メッセージは、カード形式で画面に表示される、請求項６又は７記載の文字通信装置。
【請求項９】
請求項１乃至８のいずれかに記載の文字通信装置を備えるゲーム装置。
【請求項１０】
前記通信者の選択操作は、ゲーム装置の入力装置としてのゲームコントローラを介して行われる、請求項９記載のゲーム装置。
【請求項１１】
ネットワークに接続されて、少なくとも文字によるメッセージ通信を行うことが出来る複数の文字通信装置を含んで構成される文字通信システムであって、一の言語による第１のメッセージ群を交信に使用する第１の文字通信装置と、他の言語による第２のメッセージ群を交信に使用する第２の文字通信装置と、を含み、前記第１及び第２の文字通信装置相互間の交信が、前記第１及び第２のメッセージ群間において意味の共通するメッセージ同士に予め共通に付された符号を使用して行われる、文字通信システム。
【請求項１２】
第１の言語によるメッセージを画面に表示する第１の文字通信装置と、第２の言語によるメッセージを画面に表示する第２の文字通信装置と、両通信装置間を接続するネットワークと、を含む文字通信システムであって、前記第１の文字通信装置は、少なくとも前記第１及び第２の言語によって表されるメッセージを複数含むメッセージテーブルを記憶する記憶手段と、前記第１の言語によって表される複数のメッセージのうちのいくつかを画面に選択可能に表示するメッセージ表示手段と、選択された第１の言語によるメッセージを、前記メッセージテーブルを参照して第２の言語によるメッセージに変換する言語変換手段と、変換されたメッセージを前記第２の文字通信装置に送信する送信手段と、を備える文字通信システム。
【請求項１３】
ネットワークに接続されて、少なくとも文字が表示されたカードを通信相手先に表 示させることができる文字通信装置を含んで構成される文字通信システムであって、一の言語による第１のカード群を通信に使用する第１の文字通信装置と、他の言語による第２のカード群を通信に使用する第２の文字通信装置と、を含み、前記第１及び第２の文字通信装置相互間の通信が、前記第１及び第２のカード群間において意味の共通するカード同士を予め対応付けておくことにより通信を行う文字通信システム。
【請求項１４】
ネットワークに接続されて、少なくとも文字が表示されたカードを通信相手先に表示させることができる文字通信装置を含んで構成される文字通信システムであって、一の言語による第１のカード群を通信に使用する第１の文字通信装置と、他の言語による第２のカード群を通信に使用する第２の文字通信装置と、を含み、前記第１及び第２の文字通信装置相互間の通信が、前記第１及び第２のカード群間において意味の共通するカード同士に予め共通に付された符号を使用して行われる文字通信システム。
【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
記録媒体からデータを読み出す読出手段と、
前記読出手段により読み出したデータを格納するキャッシュメモリ手段と、
データ要求に応じて前記読出手段及び／又は前記キャッシュメモリ手段の動作を制御して、要求されたデータの前記キャッシュメモリ手段からの転送出力を実行させる再生制御手段とを備え、
前記再生制御手段は、供給された前記データ要求の要求態様を判断して、判断された要求態様に基づいて、前記キャッシュメモリ手段へのデータ格納動作方式を設定することを特徴とする再生装置。
【請求項２】
前記再生制御手段は、前記要求態様がシーケンシャルなデータ要求でないと判断した場合は、前記キャッシュメモリ手段に複数のメモリ領域を分割設定して、或るメモリ領域に対してデータ格納動作を行なうようにすることを特徴とする請求項１に記載の再生装置。
【請求項３】
前記再生制御手段は、前記要求態様がシーケンシャルなデータ要求であると判断した場合は、前記キャッシュメモリ手段を１つのリングメモリ形態としてデータ格納動作を行なうようにすることを特徴とする請求項１又は請求項２に記載の再生装置。
【請求項４】
前記再生制御手段は、前記要求態様がシーケンシャルなデータ要求でないと判断する場合において、その要求態様が２地点交互となるデータ要求か、ランダムなデータ要求かを判別し、その判別結果に応じて前記キャッシュメモリ手段へのデータ格納動作方式を切り換えることを特徴とする請求項２に記載の再生装置。
【請求項５】
前記再生制御手段が前記要求態様がシーケンシャルなデータ要求でないと判断する場合で、さらにその要求態様が２地点交互となるデータ要求と判別した場合において、
前記再生制御手段は第１のメモリ領域と第２のメモリ領域を分割し、一方の地点を第１のメモリ領域に保存し、他方の地点を第２のメモリ領域に保存することを特徴とした請求項２に記載の再生装置。
【請求項６】
前記再生制御手段が前記要求態様がシーケンシャルなデータ要求でないと判断する場合で、さらにその要求態様がランダムなデータ要求と判別した場合において、
前記再生制御手段は以前のデータ読み出しに応じて前記キャッシュメモリ手段に格納されているデータを保持しながら、その転送要求発生毎にメモリ領域を分割することを特徴とする請求項２に記載の再生装置。
【請求項７】
供給されたデータ要求の要求態様がシーケンシャルなデータ要求であるか否かを判別し、シーケンシャルなデータ要求と判別した場合は、キャッシュメモリを１つのリングメモリ形態としてデータ格納動作を行ない、一方、シーケンシャルなデータ要求ではないと判別した場合は、キャッシュメモリを複数のメモリ領域を分割設定して、或るメモリ領域に対してデータ格納動作を行なうようにすることを特徴とするキャッシュ処理方法。
【手続補正２】
【補正対象書類名】明細書
【補正対象項目名】００５０
【補正方法】変更
【補正の内容】
【００５０】
ステップＦ１０８で否定結果が得られる場合は、シーケンシャルリードとはいえないが、今回セグメントＳＧ２でヒットしたデータは、例えば前々回のデータ転送要求に関してバッファリングされたデータと考えられるため、２ポイントリードと判断してよい。
そこでステップＦ１１０に進み、キャッシュヒット転送を行うとともに、要求されているデータのうちでキャッシュヒット転送できなかった部分があれば、そのデータ読出／バファリング／転送を行い、さらにその後も２ポイントリードもしくはシーケンシャルリードが行われる可能性を考えて、要求された区間以降のセクターについても引き続きバファリングを行っていく。ただしこのときのバファリングは、セグメントＳＧ１のデータについてはそのまま有効データとして残しておき、つまりセグメントＳＧ１、ＳＧ２の区分を残したまま、セグメントＳＧ２における要求されたデータの先頭のデータセクターを格納したエリアを始点としてセグメントＳＧ２内で実行していくことになる。
このバファリングはセグメントＳＧ２内が一杯になるか、もしくは次のデータ転送要求が発生するまで行われる。但し次のデータ転送要求がキャッシュヒット転送のみで完了できた場合はバファリングがそのまま継続される場合もある。
またセグメントＳＧ１内で無効なデータ存在する場合などは、セグメントの区分点を変更する（例えばセグメントＳＧ２がセグメントＳＧ１の一部に食い込んでいくように拡張する）場合もある。
【手続補正書】
【提出日】平成15年6月30日(2003.6.30)
【手続補正１】
【補正対象書類名】明細書
【補正対象項目名】００６１
【補正方法】変更
【補正の内容】
【００６１】
具体的には、少なくとも二つの液流路の連結部で一定時間作動する混合機構を設けることが好ましい。混合部は単に液流路の連結と一定時間の混合で構成されることもできる。あるいは少なくとも２つの部分液がそれぞれの液流路から、ペーパーに処理液が塗布される液たまりに導入されることで混合される混合手段も好ましい。別なる混合手段は、―対のローラで構成されることも好ましい。すなわち一対のローラの間に混合すべき溶液を供給して混合するものである。さらに別なる混合手段は、液供給パイプに形成された少なくとも２つ以上の処理液を各々供給する塗布吐出口を有し、その塗布吐出口と感光材料との間で構成されるものである。具体的には、供給出口から流れ出る部分液は、液供給パイプの壁面を伝って流れ出すが、この流れ出す流路で混合される。


【手続補正２】
【補正対象書類名】明細書
【補正対象項目名】００６３
【補正方法】変更
【補正の内容】
【００６３】
［供給手段］
この発明において、供給手段は、混合された少なくとも２溶液からなる処理液をハロゲン化銀写真感光材料に供給し、例えば吐出ノズル、液だまりやローラにより構成される。具体的には混合された処理液が、吐出ノズル、液だまりやローラに導入される液流路と、均一な液層をロ―ラ上や液だまりとして生成するための液吐出口と、感光材料に供給する吐出ノズルや液だまりやローラにより構成される。したがってこの発明で言う「塗布により処理液を供給する」とはロ−ラと感光材料を接触させるか、吐出ノズルで液を感光材料に吹き付けるか、吐出ノズルで液を感光材料に流し込むか、液だまりを潜らせること等で供給することを指す。


【手続補正３】
【補正対象書類名】明細書
【補正対象項目名】００７０
【補正方法】変更
【補正の内容】
【００７０】
この発明での液流路距離とは、部分液が混合されはじめる地点から前記感光材料に塗布されるまでの最短距離のことを言う。前記液流路は、５ｍｍ〜１５０ｍｍに設定することが、十分に部分液が混合でき、しかも処理液の空気酸化や蒸発を防止する観点で好ましい。より好ましくは７〜１００ｍｍ、さらに好ましくは１０〜５０ｍｍである。
［加熱手段］
加熱手段により加熱された感光材料の温度は、４５℃以上が好ましく、さらに５０℃以上、特に６０℃以上が好ましい。また、感光材料の耐熟性や処理の制御容易性から、９５℃以下が好ましく、さらに処理液の沸騰を防止するために、９０℃以下、特に８０℃以下が好ましい。


【手続補正４】
【補正対象書類名】明細書
【補正対象項目名】０１１３
【補正方法】変更
【補正の内容】
【０１１３】
供給される発色現像液の液容量の比率としては、一方の部分液が他方の部分液に対して０．０１倍以上、１００倍以下であることが好ましいが、０．１倍以上１０倍以下がより好ましく、０．５倍以上２倍以下が最も好ましい。


【手続補正５】
【補正対象書類名】明細書
【補正対象項目名】０１６７
【補正方法】変更
【補正の内容】
【０１６７】
図５はハロゲン化銀写真感光材料用自動現像機の塗布部の他の実施の概略図である。部分液ａと部分液ｂが供給口２３ａ、２３ｂからそれぞれ搬送路に凹状に形成された混合部２５に供給され、この混合部２５で混合され、感光材料Ｐ１に供給される。搬送ローラ２は部分液の混合を促進するように回転する。


【手続補正６】
【補正対象書類名】明細書
【補正対象項目名】０１６８
【補正方法】変更
【補正の内容】
【０１６８】
図６はハロゲン化銀写真感光材料用自動現像機の塗布部の他の実施の概略図である。


【手続補正７】
【補正対象書類名】明細書
【補正対象項目名】０１８０
【補正方法】変更
【補正の内容】
【０１８０】
ロール状のハロゲン化銀写真感光材料を収納した元巻きマガジン６００がセットされており、この感光材料を送出しローラ６０１により送出す。このハロゲン化銀写真感光材料は、カッティング工程Ａに備えられるカッター６０２等の切断手段により切断してシート状のハロゲン化銀写真感光材料にする。


【手続補正８】
【補正対象書類名】明細書
【補正対象項目名】０１８２
【補正方法】変更
【補正の内容】
【０１８２】
図１２はハロゲン化銀写真感光材料用自動現像機のさらに他の実施の形態の概略構成図である。この実施の形態では、現像工程ＣＤが図１、図２、図９及び図１０と同様に構成されるが、定着漂白工程ＢＦには、液供給部４０が備えられている。この液供給部４０には液供給パイプ４２が設けられ、液供給パイプ４２内は、２つの部屋９１ａ，９１ｂに分割されている。それぞれの２つの部屋９１ａ，９１ｂには、それぞれベローズポンプやチューブポンプ等のポンプＰを介して処理液タンク４５ａ，４５ｂから処理液ａ，ｂが供給されて満たされ、塗布吐出口４３ａ，４３ｂから液が吐出され、液供給パイプ４２の壁面を流れる間にｃ液、ｄ液が混合される。


【手続補正９】
【補正対象書類名】明細書
【補正対象項目名】０２１２
【補正方法】変更
【補正の内容】
【０２１２】
表４より、液流路距離を５ｍｍ〜１５０ｍｍにすることで良好な現像ムラ防止効果を奏し、下部ローラの汚れの発生もないことがわかる。
［実施例６］
この実施の形態では、図１１に示すようにハロゲン化銀写真感光材料Ｐを処理する前にカットするカッティング工程Ａを有しており、ハロゲン化銀写真感光材料Ｐをロール状に巻いた元巻きマガジン６００がセットされ、マガジン６００からハロゲン化銀写真感光材料Ｐが引き出されてカッター６０２によりカットされる。カットされたシート状のハロゲン化銀写真感光材料Ｐは、露光工程Ｂに送られる。露光工程Ｂでは、搬送手段６１２上にセットされたシート状のハロゲン化銀写真感光材料ＰにネガフィルムＮの画像を露光する。
【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
［Ａ］（ａ−１）不飽和カルボン酸、（ａ−２）エポキシ基を含有するラジカル重合性化合物および必要に応じて（ａ−３）上記化合物（ａ−１）および（ａ−２）と共重合しうる他のラジカル重合性化合物の共重合体並びに［Ｂ］密着助剤を含有することを特徴とする感深紫外線性樹脂組成物。
【請求項２】
永久膜の製造用である請求項１に記載の感深紫外線性樹脂組成物。
【請求項３】
（１）請求項１に記載の感深紫外線性樹脂組成物の塗膜を基板上に形成する工程、
（２）上記塗膜の少なくとも一部に深紫外線を照射する工程、
（３）照射された塗膜を現像する工程、および
（４）現像された塗膜を加熱する工程、
からなることを特徴とする、永久膜の形成方法。
【請求項４】
請求項１に記載の感深紫外線性樹脂組成物から製造された永久膜。
【手続補正２】
【補正対象書類名】明細書
【補正対象項目名】０００１
【補正方法】変更
【補正の内容】
【０００１】
【発明の属する技術分野】
本発明は、感深紫外線性樹脂組成物、永久膜およびその形成法に関する。さらに詳しくは、半導体集積回路（以下、「ＩＣ」という）等の回路パターン形成材料として好適な、さらには層間絶縁膜、カラーフィルター用保護膜などの永久膜の形成材料としても好適な感深紫外線性樹脂組成物、該永久膜およびその形成法に関する。


【手続補正３】
【補正対象書類名】明細書
【補正対象項目名】０００５
【補正方法】変更
【補正の内容】
【０００５】
【発明が解決しようとする課題】
本発明の目的は、新規な感深紫外線性樹脂組成物を提供することにある。
本発明の他の目的は、ＩＣ、ＬＣＤ用ＴＦＴ回路などの回路製造用であって、耐薬品性、感度、現像性、残膜率、耐熱性および基板との密着性に優れそしてアルカリ水溶液からなる現像液によって現像しうるレジストとして好適な感深紫外線性樹脂組成物を提供することにある。
本発明のさらに他の目的は、ＬＣＤの層間絶縁膜、カラーフィルター保護膜、回路保護膜の如き永久膜を形成するためのものであって、耐熱性、基板との密着性、可視光領域における透明性、耐薬品性などに優れた永久膜を与え得る感深紫外線性樹脂組成物を提供することにある。
本発明のさらに他の目的は、上記の如き諸特性に優れた永久膜およびその形成法を提供することにある。
【手続補正４】
【補正対象書類名】明細書
【補正対象項目名】０００７
【補正方法】変更
【補正の内容】
【０００７】
【発明を解決するための手段】
本発明によれば、本発明の上記目的および利点は、第１に、［Ａ］（ａ−１）不飽和カルボン酸、（ａ−２）エポキシ基を含有するラジカル重合性化合物および必要に応じて（ａ−３）上記化合物（ａ−１）および（ａ−２）と共重合しうる他のラジカル重合性化合物の共重合体並びに[Ｂ]密着助剤を含有することを特徴とする感深紫外線性樹脂組成物によって達成される。
本発明の上記目的および利点は、第２に、本発明の上記感深紫外線性樹脂組成物から製造された永久膜によって達成される。
さらに、本発明の上記目的および利点は、第３に、本発明の感深紫外線性樹脂組成物の塗膜を基板上に形成する工程、
（２）上記塗膜の少なくとも一部に深紫外線を照射する工程、
（３）照射された塗膜を現像する工程、および
（４）現像された塗膜を加熱する工程、
からなることを特徴とする、永久膜の形成方法によって達成される。
【手続補正５】
【補正対象書類名】明細書
【補正対象項目名】００４３
【補正方法】変更
【補正の内容】
【００４３】
【発明の効果】
本発明に係る感深紫外線性樹脂組成物は、感度、現像性、残膜率、耐熱性、基板との密着性に優れるとともに、１,２−キノンジアジド化合物を用いないことによりとりわけ透明性に優れた被膜（パターン）を形成することができる。
このような本発明の感深紫外線性樹脂組成物は、半導体集積回路（ＩＣ）および液晶ディスプレイ（ＬＣＤ）用薄膜トランジスタ（ＴＦＴ）回路のみならず、回路製造用のマスクなどを作成するためなどのレジストとして、さらには層間絶縁膜、カラーフィルタ用保護膜などの永久膜用形成材料としても好適である。
【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
ディスクに記録されたコンテンツデータを再生する再生手段と、前記再生手段が再生したコンテンツデータを記憶する記憶手段と、前記記憶手段が記憶したコンテンツデータの読み出し速度と読み出し方向を指定する指定手段と、前記指定手段が指定した読み出し速度と読み出し方向に基づいて前記記憶手段からコンテンツデータを読み出して出力する制御を行う制御手段を備え、前記制御手段は前記指定手段により前記記憶手段からのコンテンツデータの読み出し方向をそれまでの読み出し方向と逆方向に指定されたとき前記記憶手段からのコンテンツデータの読み出し速度を０または最低速度に下げた後に前記指定手段により指定された読み出し速度に変化させる制御を行うことを特徴とするディスク再生装置。
【手続補正２】
【補正対象書類名】明細書
【補正対象項目名】０００６
【補正方法】変更
【補正の内容】
【０００６】
【課題を解決するための手段】
請求項１に記載のディスク再生装置は、ディスクに記録されたコンテンツデータを再生する再生手段と、前記再生手段が再生したコンテンツデータを記憶する記憶手段と、前記記憶手段が記憶したコンテンツデータの読み出し速度と読み出し方向を指定する指定手段と、前記指定手段が指定した読み出し速度と読み出し方向に基づいて前記記憶手段からコンテンツデータを読み出して出力する制御を行う制御手段を備え、前記制御手段は前記指定手段により前記記憶手段からのコンテンツデータの読み出し方向をそれまでの読み出し方向と逆方向に指定されたとき前記記憶手段からのコンテンツデータの読み出し速度を０または最低速度に下げた後に前記指定手段により指定された読み出し速度に変化させる制御を行うものである。